(57)【特許請求の範囲】
【請求項１】
平面状の案内面（２０）を有する第１案内（１４）と、該第１案内（１４）の上方で上下に所定範囲内でガイド可能とされたシャフト（３３）に回転自在であると共に、前記案内面（２０）から離れるように移動可能であって、かつ離れるほど徐々に強まる回転トルクをもって回動する回転抵抗体（１６）と、この回転抵抗体（１６）と前記第１案内（１４）との間に入る紙葉類により前記回転抵抗体（１６）が離れる方向に移動するに従い、漸次強まる押圧力を前記回転抵抗体（１６）に与えて制動する制動装置（４２）と、前記回転抵抗体（１６)の下流側に、前記案内面（２０）に対して、紙葉類に応じて設定した紙葉一枚の厚さ以上、かつ、二枚以下の間隔で相対する弧状面（２３）を有する固定ガイド(１５)を備えることを特徴とする紙葉の重ね出し防止装置。
【請求項２】
前記固定ガイド(１５)と回転抵抗体(１６)との間に位置し、前記案内面(２０)から紙葉の厚み複数枚分離れて固定された第2固定ガイド(１７)を有する請求項１の紙葉の重ね出し防止装置。
【請求項３】
前記回転抵抗体(１６)に並置して回転自在なガイドローラ(３６ａ、３６ｂ)が配置される請求項１の紙葉の重ね出し防止装置。
【請求項４】
前記ガイドローラ(３６a、３６b)周面の摩擦抵抗は、前記回転抵抗体(１６)の摩擦抵抗よりも小さく設定されている請求項３の紙葉の重ね出し防止装置。
【請求項５】
平面状の案内面(２０)を有する第１案内(１４)と、前記案内面(２０)に対して紙葉一枚の厚さ以上、かつ、二枚以下の間隔で固定された弧状面(２３)を有する固定ガイド(１５)と、前記固定ガイド(１５)の紙幣収納部(１３)側の固定ガイド(１５)の両サイドに位置し、かつ、シャフト（３３）に回転自在に装着されると共に案内面（２０）から離れるよう移動可能な一対の回転抵抗体(１６a、１６b)と、前記回転抵抗体(１６a、１６b)の両サイドに配置され、かつ、回転抵抗体(１６a、１６b)と一体的に移動し、さらに、回転自在なガイドローラ(３６a、３６b)と、前記回転抵抗体(１６a、１６b)が固定ガイド(１５)から少なくとも紙葉一枚分以上離れたとき前記回転抵抗体(１６a、１６b)を制動する制動装置(４３a、４３b)と、を備える紙葉の重ね出し防止装置。
【発明の詳細な説明】
【０００１】
【発明が属する技術分野】
本発明は、紙葉を一枚ずつ分離して送り出す紙葉の重ね出し防止装置に関する。
特に、紙幣の二枚だしを防止できる重ね出し防止装置に関する。
なお、本明細書で使用する「紙葉」は、紙の他、紙幣、小切手、証券、クーポン券、商品券等、シート状のもの全てを含んでいる。
【０００２】
小型の紙幣払出装置として、例えば特開2001−67527号に開示のものが知られている。
図7に示すように、ガイド101のフィードローラ102とゲートローラ103との圧接部近傍の形状が段差になっている。
すなわち、垂直な壁面107によって画定される搬送路104の高さは紙葉複数枚分あり、かつ、紙葉搬送方向に対して傾斜した傾斜面105を有している。
【０００３】
紙幣108がキックローラ106によってフィードローラ102とゲートローラ103の方向へ送られると、キックローラ106に接する紙幣108の上に乗っている紙幣109も一緒に送られる。
送られた紙幣の大部分は、壁面107によって進行を阻止され、さらに傾斜面105によって阻止され、キックローラ106と接する紙幣のみがフィードローラ102とゲートローラ103に挟まれ、送り出される。
【０００４】
このものは、ガイドが傾斜面105を有するので、傾斜面の前後に紙葉を案内する平行部を配置しなければならない。
また、紙幣を確実に送るため、平行部ごとにフィードローラとゲートローラが必要である。
【０００５】
紙幣の出口部にフィードローラとゲートローラを備えた平行部を二つ設けた場合、出口部が長くなり、小型化できない。
また、フィードローラとゲートローラは平行部ごとに配置するので、コストアップになる。
【０００６】
【発明が解決しようとする課題】
本発明の第１の目的は、積層されている紙葉を一枚ずつ分離して送り出す重ね出し防止装置を提供することである。
本発明の第２の目的は、小型の紙幣収納ボックスに適した小型の重ね出し防止装置を提供することである。
本発明の第３の目的は、安価な重ね出し防止装置を提供することである。
【０００７】
【課題を解決するための手段】
この目的を達成するため、本発明は、平面状の案内面を有する第１案内と、該第１案内の上方で上下に所定範囲内でガイド可能とされたシャフトに回転自在であると共に、前記案内面から離れるように移動可能であって、かつ離れるほど徐々に強まる回転トルクをもって回動する回転抵抗体と、この回転抵抗体と前記第１案内との間に入る紙葉類により前記回転抵抗体が離れる方向に移動するに従い、漸次強まる押圧力を前記回転抵抗体に与えて制動する制動装置と、前記回転抵抗体の下流側に、前記案内面に対して、紙葉類に応じて設定した紙葉一枚の厚さ以上、かつ、二枚以下の間隔で相対する弧状面を有する固定ガイドを備えることを特徴とする紙葉の重ね出し防止装置である。
【０００８】
この構成において、送出装置により収納部から送り出された紙葉は、第１案内の案内面と抵抗体との間に進入する。
すなわち、送出装置に接触する紙葉が強制的に抵抗体に向かって送られ、この紙葉に接触する紙葉もまた、摩擦力により同方向へ送られる。
この現象が連続し、複数の紙葉が案内面と通常位置にある抵抗体との間に達する。
【０００９】
一体になった複数の紙葉の進行により、抵抗体は回転され、かつ、押されて案内面との間隔が僅かに増加される。
したがって、案内面に接している紙葉は、抵抗体に接しないので殆ど進行抵抗を受けない。
しかし、重なっている紙葉の一部は、抵抗体の回転抵抗によって進行抵抗を受け、進行を阻止されるので、抵抗体の外面に沿うようにずらされる。
しかし、付着力の大きい重なり紙葉は、案内面に接している紙葉とともに進行する。
【００１０】
これにより、抵抗体は複数の紙葉によって押されて案内面からさらに離され、制動装置によって制動される。
そのため、抵抗体は回転抵抗が極めて大きくなり、実質的に固定状態になる。
結果として、抵抗体に進行を阻止されている紙幣は停止され、抵抗体に阻止されない案内面に接している一枚の紙葉が案内面と抵抗体の間を通過し、送り出される。
【００１１】
結果として、本発明は回転可能な抵抗体によって紙葉のスムーズな移動を確保し、かつ、抵抗体が移動されて実質的に固定状態になることにより、重なっている紙葉のそれ以上の進行を阻止して重ね出しを防止する。
したがって、一段階で紙葉の重ね出しを防止できるので、コンパクトに構成できる。
また、本発明は、フィードローラとガイドローラを使用しないので、安価に製造できる。
【００１１】
本発明は、抵抗体の下流側に、案内面に対して紙葉一枚の厚さ以上、かつ、二枚以下の間隔で固定された弧状面を有する固定ガイドを備えることが好ましい。
この構成において、重なった紙葉が案内面と抵抗体との間を通過した場合、紙葉は案内面と固定ガイドとの間に進入するが、案内面と固定ガイドとの最小間隔は紙葉一枚以上二枚以下である。
したがって、案内面に接する紙葉以外の紙葉は、固定ガイドの弧状面により進行を阻止され、案内面に接している一枚の紙葉のみが出口へ送り出される。
結果として、本発明は回転可能な抵抗体によって紙葉のスムーズな移動を確保でき、かつ、抵抗体が実質的に固定状態になることにより、紙葉のそれ以上の進入を阻止する。
さらに、案内面と固定ガイドとにより一枚の紙葉のみを通過させるので、確実に一枚の紙葉を送り出すことができる。
また、案内面と抵抗体と固定ガイドにより二段階の重なり解消部を構成したのでコンパクトである。
また、本発明は、フィードローラとガイドローラを使用しないので、安価に製造できる。
【０００８】
本発明は、前記固定ガイドと抵抗体との間に位置し、前記案内面から紙葉の厚み複数枚分離れて固定された第2固定ガイドを有することが好ましい。
この構成において、紙葉が抵抗体と案内面との間においてジャムしそうになった場合、抵抗体は紙葉の押し力によって案内面から離される。
抵抗体は移動途中において、制動装置により制動されて実質的に固定状態になる。
【００１３】
結果として、紙葉は固定状体の抵抗体によって大きな進行抵抗を受け、一部の紙葉は抵抗体により進行をストップされる。
しかしながら、複数の紙葉が一体になって案内面と抵抗体との間に進入しようとする場合、抵抗体は更に案内面から離される。
結果として、複数の紙葉は案内面と第二固定ガイドとの間に挟まれる。
【００１４】
したがって、案内面と第二固定ガイドとの間にそれ以上の紙葉が挟まれないので紙葉間の接触圧は減少する。
そのため、複数の紙葉は案内面と固定ガイド側に移動し、前述のように案内面に接する紙葉のみがそれらの間を通って紙葉収納部外へ送り出される。
この構成は、一層確実に紙葉の重なりを解消できる。
【００１５】
本発明は、抵抗体に並置された回転自在なガイドローラを有することが好ましい。
この構成により、紙葉の前縁がカール状である場合、紙葉前縁を抵抗体と案内面との間に滑り込ませることができる。
詳述すると、カールした前縁は抵抗体の周面に接すると同時にガイドローラ集面にも接する。
【００１６】
ガイドローラは紙葉と接触しているので、紙葉の進行に伴って回転される。
そのため、ガイドローラの周面は案内面に近づくように移動する。
この移動によって、ガイドローラの周面と接触している前縁は、移動する周面によって案内面側へ移動される。
最終的に、紙葉の前縁は案内面と抵抗体及びガイドローラとの間に挟まれる。
そして、前述のように一枚のみが送り出される。
【００１７】
本発明は、ガイドローラ周面の摩擦抵抗は、抵抗体の摩擦抵抗よりも小さいことが好ましい。
この構成において、紙葉の前縁は抵抗体の周面よりもガイドローラ周面の方が滑り易い。
すなわち、前記のように紙葉の前縁がガイドローラに接触したとき、滑りやすい。
ガイドローラの周面は、案内面側に傾斜する弧状面である。
【００１８】
結果として、紙葉前縁がガイドローラの周面に案内されて案内面とガイドローラとの間に進入する。
したがって、抵抗体が実質固定状態であっても紙葉の前縁を抵抗体と案内面との間にガイドできる。
【００１９】
平面状の案内面を有する第１案内と、前記案内面に対して紙葉一枚の厚さ以上、かつ、二枚以下の間隔で固定された弧状面を有する固定ガイドと、前記固定ガイドの紙幣収納部側の固定ガイドの両サイドに位置し、かつ、シャフトに回転自在に装着されると共に案内面から離れるよう移動可能な一対の回転抵抗体と、前記回転抵抗体の両サイドに配置され、かつ、回転抵抗体と一体的に移動し、さらに、回転自在なガイドローラと、前記回転抵抗体が固定ガイドから少なくとも紙葉一枚分以上離れたとき前記回転抵抗体を制動する制動装置とで構成することが好ましい。
【００２０】
この構成において、送出装置により収納部から送り出された紙葉は、最初に第１案内の案内面と抵抗体との間に進入する。
すなわち、送出装置に接触する紙葉が強制的に出口側へ送られ、この紙葉に接触する紙葉もまた、摩擦力により同方向へ送られる。
この現象が連続し複数の紙葉が案内面と通常位置にある抵抗体との間に達する。
【００２１】
前記複数の紙葉の内、案内面に接している紙葉は抵抗体に接しないので進行抵抗を受けない。
しかし、重なっている紙葉は、抵抗体の回転抵抗によって進行抵抗を受け、進行を阻止される。
しかし、付着力の大きい重なり紙葉は、案内面に接している紙葉とともに進行する。
【００２２】
この状態において、抵抗体は複数の紙葉によって押されて案内面から離れるので、複数の紙葉は案内面と抵抗体の間に進入する。
抵抗体が案内面から所定量離れたとき、制動装置によって制動され、抵抗体は回転抵抗が極めて大きくなり、実質的に固定状態になる。
【００２３】
また、ガイドローラは紙幣の移動によって回転されるので、接している紙葉先端を案内面側へ送る。
したがって、紙葉の先端はガイドローラによって案内面とガイドローラ及び抵抗体との間に押し込められる。
抵抗体が回転しないことにより、それまでに案内面と抵抗体との間に進入した数枚の紙葉のみが更に出口側へ送られ、紙葉間の接触圧が減少する。
【００２４】
つぎに、紙葉は案内面と固定ガイドとの間に進入しようとする。
このとき、一対の抵抗体の間の紙葉が案内面と固定ガイドとの間に進行する。
したがって、抵抗体によって押さえられた紙葉が案内面と固定ガイドとの間に進行するので、紙葉は確実に案内面と固定ガイドのと間に案内される。
そして、固定ガイドは弧状をしており、案内面との間隔が順次狭くなり、最終的に間隔が紙葉一枚以上二枚以下になる。
このため、案内面に接している一枚の紙葉のみが収納部外へ送り出される。
【００２５】
結果として、本発明は回転可能な抵抗体によって紙葉のスムーズな移動を確保すると共に複数の紙葉が一体になって進入しようとすると、制動装置によって抵抗体が実質的に固定される。
そのため、抵抗体は紙葉の一部のそれ以上の進入を阻止するので、コンパクトな構造により数枚の紙葉に分離することができる。
さらに、一対の抵抗体により押さえられた紙葉が案内面と固定ガイドとの間に進入するので、紙葉はスムースにそれらの間に進入することができる。
また、本発明は、フィードローラとガイドローラを使用しないので、安価に製造できる。
【００２６】
【発明の実施の形態】
図１は、実施例の重ね出し防止装置を装着した紙幣収納装置の斜視図である。
図２は、実施例の重ね出し防止装置の斜視図である。
図３は、実施例の重ね出し防止装置の背面図である。
図４は、図３におけるＹ−Ｙ線断面図である。
図５は、図３におけるＸ−Ｘ線断面図である。
図６は、図３におけるＺ−Ｚ線断面図である。
【００２７】
本実施例は、紙葉として紙幣を用いる例である。
本実施例の重ね出し防止装置10を備えた紙幣収納装置11は、例えば、自動販売機の紙幣払出装置に装着する。
図1において、側版12によって囲まれた矩形の紙幣収納部13に紙幣が積み重ねられる。
重ね出し防止装置10は、前側板12fの下部に配置されている。
【００２８】
重ね出し防止装置10は、平板状の第１案内14、第１案内14と紙幣一枚以上二枚以下の間隔で配置した固定ガイド15と、固定ガイド15よりも紙幣収納部13側に配置された抵抗体16とを含んでいる。
さらに重ね出し防止装置10は、第１案内14と紙幣一枚以上離れて配置された第２固定ガイド17を含んでいる。
さらにまた、重ね出し防止装置10は、抵抗体16の両側に配置した一対のガイドローラ36a、36bを含んでいる。
【００２９】
最初に第1案内14を説明する。
第1案内14は、紙幣収納装置13の底板19に連続した平板状であり、耐摩耗性の樹脂により成形されている。
第1案内14の上面が案内面20である。
案内面20は、紙幣を案内する機能があればよい。
【００３０】
次に固定ガイド15を説明する。
固定ガイド15は金属製ブッシュにゴムリングを外装したシリンダ形であって、第1案内14の上方に配置されている。
ゴムリングは、例えば硬質ウレタンゴムで成型されている。
【００３１】
固定ガイド15の両端部は、前壁12fから延びるステー21、22に固定されている。
固定ガイド15の紙幣収納部13側に板金製のガイドプレート15aが配置されている。(図5参照)
このガイドプレート15aの下端部は紙幣収納部13から固定ガイド15に向かって案内面20との距離が減少する傾斜面15bを有する。
【００３１】
図5に図示するように、固定ガイド15の弧状面23は、他の周面よりも大径の弧状に形成されている。
傾斜面15bは、実質的に弧状面23の延長部を形成する。
また、傾斜面15bの先端と案内面20との間隔は、弧状面23と案内面20との最少距離と同じかそれよりも大きく設定されている。
【００３２】
したがって、固定ガイド15は、ガイドプレート15aの傾斜面15bと弧状面23との組み合わせである。
紙幣収納部13側の傾斜面15bと案内面20との間隔は、紙葉厚みの3枚程度である。
案内面20と弧状面23との間隔は、紙幣収納部13から遠ざかるにつれて間隔が狭くなり、最も狭い弧状面23と案内面20との間隔は、紙葉の厚みの一枚以上かつ二枚以下である。
換言すると、紙幣出口24は、一枚の紙幣のみが通過可能である。
【００３２】
案内面20と弧状面23及び傾斜面15bとにより、紙幣出口24の紙幣収納部13側に楔形の第１進入空間25が形成される。
固定ガイド15及びガイドプレート15aの材質は、耐摩耗性に優れ、かつ摩擦係数が大きければ他の材料を使用することができる。
固定ガイド15は、市販されているゴムローラを加工して弧状面23を形成した場合、安価に製作することができる。
【００３２】
紙幣が紙幣出口24においてジャムしそうになった場合、自動的に固定ガイド15を案内面20から僅かに離すことができる。
このため、本出願人の出願に係る特願2001-216087の装置と組み合わせることができる。
【００３３】
次に抵抗体16を説明する。
前壁12fの両側端から突出するブラケット31a、31bに、傾斜長孔32が形成されている。
傾斜長孔32は、紙幣収納部13から離れるほど、案内面20から離れるよう傾斜している。
換言すると、傾斜長孔32は、図4において約45度の角度で右下がりに傾斜している。
【００３５】
左右の傾斜長孔３２に、シャフト３３がスライド可能に貫通している。シリンダ形の抵抗体１６、すなわちローラー状の回転抵抗体１６がシャフト３３の中間に回転自在に嵌合されている。したがって本発明では、抵抗体１６はシャフト３３を軸として回動する回転体である。抵抗体、すなわち回転抵抗体（１６）は、硬質ウレタンゴムにより成型され、その軸心に形成された軸孔３３ａに金属製のシャフト３３が貫通している。
この軸孔３３ａにブッシュをはめ込み、ブッシュの軸孔にシャフト３３を貫通させることができる。
【００３６】
ブッシュを填め込んだ場合、抵抗体16の回転抵抗が小さいので、紙幣のスムーズな進入に効果がある。
実施例において、抵抗体16は、第１抵抗体16aと第２抵抗体16bの二つにより構成され、固定ガイド15の両側に配置されている。
換言すると、第１抵抗体16aと第２抵抗体16bは、固定ガイド15を挟んで配置されている。
【００３７】
この配置により、紙幣の先端がカールしている場合、第１抵抗体16a及び第２抵抗体16bにより紙幣先端を押さえて固定ガイド15と案内面20との間へスムーズに進入させることができる。
抵抗体16は、1個以上配置することができる。
なお、抵抗体16のスムーズな移動を確保できる場合、傾斜長孔32は案内面20に対し直交方向に移動可能にすることができる。
【００３８】
第１抵抗体16a及び第２抵抗体16bは、案内面20と所定の間隔で配置される。
すなわち、シャフト33が傾斜長孔32の下端よってストップされている場合、案内面20と第１抵抗体16a及び第２抵抗体16bの下周面の間隔は、紙幣の厚みよりも小さく設定されている。
【００３９】
案内面20と第１抵抗体16a及び第２抵抗体16bは、プレ出口34を構成する。
したがって、プレ出口34は紙幣出口24よりも紙幣収納部13側に位置している。
また、楔形の第２進入空間35が、案内面20と第１抵抗体16a、第２抵抗体16bの周面によって、紙幣収納部13側に形成される。
【００４０】
つぎにガイドローラ36a、36bを説明する。
第１抵抗体16a、第２抵抗体16bの両側のシャフト33に、第１ガイドローラ36a、第２ガイドローラ36bが回転自在に嵌合されている。
ガイドローラ36a、36bは、ポリアセタール樹脂によりシリンダ形に成型されている。
そのため、ガイドローラ36a、36bの摩擦抵抗は、抵抗体16a、16bよりも小さく、その軸孔にシャフト33が貫通している。
【００４１】
ガイドローラ36a、36bは、抵抗体16a、16bと同一直径である。
ガイドローラ36a、36bの軸孔にブッシュを嵌合し、そのブッシュの軸孔にシャフト33を貫通させることができる。
この構成は、ガイドローラ36a、36bがスムーズに回転するため、紙幣先端のガイド効果が向上する。
【００４２】
楔状の第３進入空間37が、ガイドローラ36a、36bの周面と案内面20とにより紙幣収納部13側に形成される。
ガイドローラ36a、36bと案内面20との間が第２プレ出口38である。
ガイドローラ36a、36bの紙幣に対する摩擦抵抗を抵抗体16a、16bよりも小さくすることにより、紙幣の先端部がガイドローラ36a、36bの周面を滑って第2プレ出口38に案内され易くしている。
【００４３】
ガイドローラ36a、36bは、紙幣が案内面20と抵抗体16との間にスムーズ進入する場合、使用しないことができる。
また、ガイド効果を向上するため、3個以上配置することができる。
さらに、ガイドローラ36a、36bは抵抗体16と同様に硬質ウレタンゴム等で構成できる。
さらに、抵抗体16と同様に制動装置42で制動することができる。
この場合、ガイドローラ36a、36bは抵抗体になる。
【００４３】
第１抵抗体16aと第１ガイドローラ36aとの間及び第２抵抗体16bと第２ガイドローラ36bとの間のシャフト33は、面取りされ、平面部40が形成されている。(図6参照)
この平面部40に前側板12fに固定された第１板バネ41a及び第２板バネ41bの第１押圧部42a、第２押圧部42bが押し付けてある。
【００４４】
シャフト33は第１板バネ41a、第２板バネ41bによって紙幣収納部13側、図5において右方へ押されている。
結果として、シャフト33の端部は傾斜長孔32に沿って移動し傾斜長孔32の下端部に停止される。
【００４５】
第１板バネ41a、第２板バネ41bに代えて錘によりシャフト33に対し押圧力を与えることができる。
シャフト33が傾斜長孔32の下端部で停止されている場合、プレ出口34及び第２プレ出口38は紙幣1枚の厚み以下の間隔に保持される。
また、平面部40が平板状の第１押圧部42a、第２押圧部42bと面接触して押されているため、シャフト33は回転しない。
【００４６】
次に制動装置42を説明する。
制動装置42は、抵抗体16、すなわち第１抵抗体16a、第２抵抗体16bの回転を制動する機能を有する。
実施例における制動装置42は、第１抵抗体16aの周面に相対配置した第１制動板43aと、第２抵抗体16bの周面に相対配置した第２制動板43bである。
第１制動板43aは第１板バネ41aから、第２制動板43bは第２板バネ41bから下方に向かって延びる矩形板である。
【００４７】
第１抵抗体16a、第２抵抗体16b及び第１ガイドローラ36a、第２ガイドローラ36bが第２進入空間35及び第３進入空間37に進行してきた紙幣により紙幣一枚分の厚さ以上の所定量押し上げられたとき、第１抵抗体16a、第２抵抗体16bの周面が第１制動板43a、第２制動板43bに接触し、制動される。
【００４８】
すなわち、シャフト33が押し上げられるとき、シャフト33は傾斜長孔32によりガイドされ、図4において左方へスライドされる。
結果として、第１抵抗体16a、第２抵抗体16bが第１制動板43a、第２制動板43b側へ移動し、そして接触する。
さらに押された場合、第１抵抗体16a、第２抵抗体16bは第１制動板43a、第２制動板43bを撓ませて左方へ移動する。
【００４９】
結果として、第１抵抗体16a、第２抵抗体16bと第１制動板43a、第２制動板43bとの接触圧が増加し、第１抵抗体16a、第２抵抗体16bの制動力が増加する。
シャフト33押圧用の第１板バネ41a、第２板バネ41bの一部を利用して第１制動板43a、第２制動板43bを形成したので、制動装置42は安価である。
制動装置42は、抵抗体16、すなわち第１抵抗体16a、第２抵抗体16bの回転を制動できる機能を有していれば他の機構を採用することができる。
【００５０】
次に第2固定ガイド17を説明する。
ブラケット31aの第２固定ガイドは隠れているので、ブラケット31b側の第２固定ガイド17を代表して説明する。(図4参照)
ブラケット31a、31bの下端部の紙幣収納部13側の端面に傾斜ガイド50が形成され、紙幣の進行方向に対し、約15度傾斜している。
この角度の場合、紙幣は案内面20と第２固定ガイド17との間に食い込まない。
【００５１】
傾斜ガイド50に続いて、案内面20と平行に第２固定ガイド17が形成されている。
第２固定ガイド17と案内面20との間隔は、弧状面23の紙幣収納部13側の間隔とほぼ同じである。
具体的には、紙幣3枚分の厚さ離れている。
【００５２】
第１抵抗体16a、第２抵抗体16b及び第１ガイドローラ36a、第２ガイドローラ36bは、シャフト33の移動に伴ってそれらの下面が第２固定ガイド17よりも案内面20から離れることができる。
第１抵抗体16a、第２抵抗体16bは、案内面20から紙幣一枚の厚み離れた直後に第１制動板43a、第２制動板43bに接触し、制動され始める。
そして、第１抵抗体16a、第２抵抗体16bの周面が案内面20から第２固定ガイド17と同程度離れた場合、接触圧が増すため制動力が増加し、固定状態になる。
【００５３】
もし、第１抵抗体16a、第２抵抗体16b及び第１ガイドローラ36a、第２ガイドローラ36bが紙幣により押されて傾斜長孔32に沿って移動する場合、傾斜ガイド50は一部の紙幣の進行を阻止する機能を有する。
傾斜ガイド50は、紙幣の進行方向に対し75度から90度の範囲がよい。
紙幣出口24の反紙幣収納部13側には、案内面20に相対して出口ガイド52が配置されている。
【００５４】
出口ガイド52と案内面20との間隔は、紙幣出口24よりも大きい。
出口ガイド52の紙幣収納部13側の端部は、固定ガイド15の側方に位置し、傾斜しており、紙幣を誘導するようになっている。
送り出しローラ60は、底板19の開口から紙幣収納部13内に突出しており、紙幣と接触し、紙幣の送り出し指示に基づいて反時計方向へ回転される。(図5参照)
【００５５】
次に実施例の正常時の作用を説明する。
紙幣B1からBnは、紙幣収納部13に積み重ねられている。
紙幣払い出し指示を受けた場合、送り出しローラ60は反時計方向へ回転される。
ローラ60と接する最も下の紙幣B1は、図5において左方へ移動される。
最も下の紙幣B1の移動とともに、上側の紙幣B2からBnも摩擦力によって左方へ移動される。
【００５６】
まず、紙幣B1からBnは、案内面20と抵抗体16a、16bとの間の第２進入空間35及び案内面20とガイドローラ36a、36bとの間の第３進入空間37に進入する。
第１抵抗体16a及び第２抵抗体16bは、シャフト33とウレタンゴムとの摩擦接触のため回転抵抗が大きい。
【００５７】
これにより紙幣B2からBnは、抵抗体16a、16bによって進行抵抗を受けるため、最も下の紙幣B1が更に左方へ移動する。
したがって、紙幣B2からBnは第１抵抗体16a、第２抵抗体16bの周面に沿って階段状になる。
【００５８】
このとき、第１抵抗体16a、第２抵抗体16bは未だ第１制動板43a、43bに接触していないので紙幣B1からBnの移動につれて図4において時計方向へ回転される。
同様に、第１ガイドローラ36a、第２ガイドローラ36bも回転される。
この状態でさらに紙幣が左方へ移動されると、第１抵抗体16a、第２抵抗体16b及び第１ガイドローラ36a、第２ガイドローラ36bは押し上げられる。
この押し上げにより、シャフト33は傾斜長孔32に沿って斜め上方へスライドされる。
【００５９】
このため、第１抵抗体16a、第２抵抗体16bの回転抵抗により、紙幣B2からBnは第１抵抗体16a及び第２抵抗体16bによって進行を阻止され、紙幣B1のみがプレ出口34、第2プレ出口38を通過して進入空間25へ進行する。
結果として、最も下の紙幣B1が紙幣出口24を通過し、さらに案内面20と出口ガイド52の間を通って送り出される。
【００６０】
したがって、抵抗体16及び案内面20によって案内面20に接する一枚のみが送り出されるので、固定ガイド15は配置しないことができる。
次に異常時の作用を説明する。
紙幣B1からＢnの付着力が大きい場合、それらは一体になって第２進入空間35及び第３進入空間37を左方へ進行する。
これにより、第1抵抗体16a、第2抵抗体16b及び第1ガイドローラ36a、第2ガイドローラ36bは押し上げられる。
【００６２】
第１抵抗体16a、第２抵抗体16bが所定量スライドすると、その周面が第１制動板43a、第２制動板43bにそれぞれ接触する。
このため、抵抗体16a、16bは回転抵抗が大きくなり、実質固定状態になり、周面の右側に位置する紙幣B3からBnの進行を阻止する。
そのため、紙幣B1、B2のみが第２進入空間35、第３進入空間37へ進行する。
第１進入空間35に進入した場合、紙幣B2は傾斜面15bに移動を阻止される。
【００６０】
すなわち、紙幣B2は固定ガイド15、すなわち傾斜面15b及び弧状面23の周面に沿って階段状にストップされる。
傾斜面15bは傾斜角度が大きいので、紙幣が食い込みを生じることなく、紙幣B2の進行を阻止する。
結果として、最も下の紙幣B1のみが紙幣出口24を通過し、さらに案内面20と出口ガイド52の間を通って送り出される。
もし、紙幣B1とB2がガイドプレート15aと案内面20との間を通過した場合、紙幣B2は弧状面23と接触して停止され、案内面20に接する紙幣B1のみが紙幣出口24を通過して送り出される。
【００６１】
紙幣B1からＢnの付着力がさらに大きい場合、抵抗体16a、16bが固定状態になってもそれら紙幣は一体に進行する。
このため、第１抵抗体16a、第２抵抗体16b及び第１ガイドローラ36a、第２ガイドローラ36bは第２固定ガイド17よりも上方に押し上げられる。
これにより、紙幣B4からBnは傾斜面50にその進行を阻止され、紙幣B1からB3のみが案内面20と第２固定ガイド17との間に進入する。
【００６３】
第２固定ガイド17は、案内面20と平行であるため、これらの間に位置する紙幣B1からB3は、楔作用を受けないので、紙幣B1からB3の間の摩擦力は減少する。
したがって、紙幣B1からB3はジャムすることなく紙幣出口24へ進行する。
前述のように、紙幣B2、B3は固定ガイド15、すなわち傾斜面15b及び弧状面23によって進行を阻止される。
そして、最も下の紙幣B1のみが紙幣出口24から送り出される。
【００６４】
次に、先端が上側へカールしている紙幣を用いたケースを説明する。
紙幣B1からBnのカールしている先端が第１抵抗体16a、第２抵抗体16bに接触した場合、紙幣先端はそれらローラの周面に対してほぼ直角に突き当たるため、第１抵抗体16a、第２抵抗16bの摩擦係数が大であることもあってローラの周面に沿って滑らない。
しかし、第１ガイドローラ36a、第２ガイドローラ36bは樹脂であって摩擦係数が小さいので、紙幣B1からBnは滑り易い。
【００６５】
紙幣B1からBnの進行に伴って、第１ガイドローラ36a、第２ガイドローラ36bは紙幣Bnとの摩擦接触によって、図4において時計方向に回転される。
その回転によって、第１抵抗体16a、第２抵抗体16bの外側の第１ガイドローラ36a、第２ガイドローラ36bと接している紙幣Bnの先端は、下方へ押し下げられる。
この押し下げによって、第１抵抗体16a、第２抵抗体16bに接している先端も下方へ移動されて第１抵抗体16a、第２抵抗体16bの下側に進入する。
そして、前述のように最下の紙幣B1のみが紙幣出口24から送り出される。
【００６６】
なお、前述の説明において、上下左右等は、説明の理解を助けるために用いたので、本発明はこれらの用語に限定されるものではない。
【００６７】
【図面の簡単な説明】
【図１】図１は、実施例の重ね出し防止装置を装着した紙幣収納装置の斜視図である。
【図２】図２は、実施例の重ね出し防止装置の斜視図である。
【図３】図３は、実施例の重ね出し防止装置の背面図である。
【図４】図４は、図３におけるＸ−Ｘ線断面図である。
【図５】図５は、図３におけるＹ−Ｙ線断面図である。
【図６】図６は、図３におけるＺ−Ｚ線断面図である。
【図７】図７は、従来装置の説明図である。
【符号の説明】
13            紙幣収納部
14            第１案内
15            固定ガイド
16、16a、16b  抵抗体
17            第2固定ガイド
20            案内面
23            弧状面
36a、36b      ガイドローラ
42、43a、43b  制動装置
【図１】
0003950984.tif 000002
【図２】
0003950984.tif 000003
【図３】
0003950984.tif 000004
【図４】
0003950984.tif 000005
【図５】
0003950984.tif 000006
【図６】
0003950984.tif 000007
【図７】
0003950984.tif 000008